(57)【要約】【課題】多数の監視対象を効率良く監視する。【解決手段】監視画面表示装置１００は、監視対象の状態情報に基づいて、各運用レベルのロジック情報に対応する処理が実行可能であるか否かを判定し、各運用レベルのロジック情報に対応する処理が実行可能であると判定された場合、監視対象の状態情報と運用レベルに対応する識別色とを監視画面のデザイン情報に反映させた監視画面を表示する。【選択図】      図１
2010091476.tif 000002
【特許請求の範囲】
【請求項１】
複数の監視対象と複数の運用レベルとに関連付けて、該監視対象からの状態情報に適用される処理を実行するためのロジック情報を記憶するロジック情報記憶手段と、
前記運用レベル毎に識別色を対応付けて記憶する識別色記憶手段と、
前記監視対象の名称と該監視対象の状態情報と前記識別色とが表示される監視画面のデザイン情報を記憶する画面デザイン情報記憶手段と、
前記監視対象から前記状態情報を取得する状態情報取得手段と、
前記監視対象の状態情報に基づいて、前記ロジック情報記憶手段に記憶された各運用レベルのロジック情報に対応する処理が実行可能であるか否かを判定するロジック成否判定手段と、
前記判定の結果、各運用レベルのロジック情報に対応する処理が実行可能であると判定された場合、該運用レベルに対応する識別色を前記識別色記憶手段から読み出す識別色読出手段と、
前記監視画面のデザイン情報に、前記状態情報取得手段により取得された状態情報と、前記識別色読出手段により読み出した識別色とを反映させた監視画面を表示する表示手段と
を備えたことを特徴とする監視画面表示装置。
【請求項２】
請求項1に記載の監視画面表示装置において、
前記運用レベルには予め優先順位が設定されており、
前記識別色読出手段は、前記ロジック成否判定手段により複数の運用レベルのロジック情報に対応する処理が実行可能であると判定された場合、前記優先順位が上位の運用レベルに対応する識別色を読み出す
ことを特徴とする監視画面表示装置。
【請求項３】
請求項１に記載の監視画面表示装置において、
前記監視対象の状態情報が、複数の機器情報から算出されており、
前記画面デザイン情報記憶手段が、所定の大きさに分割された複数のエリアを有する監視画面のデザイン情報を記憶しており、
前記表示手段が、前記監視対象の状態情報と前記各機器情報とを前記各エリアに個別に表示する
ことを特徴とする監視画面表示装置。
【請求項４】
請求項３に記載の監視画面表示装置において、
前記表示手段は、前記各エリアの最上段の部分に前記監視対象の状態情報を表示し、その他の部分に前記各機器情報を個別に表示する
ことを特徴とする監視画面表示装置。
【請求項５】
請求項１に記載の監視画面表示装置において、
前記監視対象の状態情報が、複数の機器情報から算出されており、
前記画面デザイン情報記憶手段が、グラフィック図と前記各機器情報の表示位置とを対応付けた監視画面のデザイン情報を記憶しており、
前記表示手段が、前記グラフィック図上の対応付けられた表示位置に前記各機器の機器情報を表示する
ことを特徴とする監視画面表示装置。
【請求項６】
請求項３に記載の監視画面表示装置において、
前記表示手段は、前記エリアが選択されると、選択されたエリアに対応する機器情報の時系列の変化を示すトレンドグラフを表示する
ことを特徴とする監視画面表示装置。
【請求項７】
請求項６に記載の監視画面表示装置において、
前記表示手段は、前記分割したエリアのうち、最上段以外のエリアの全てにおいて統一した内容を表示する
ことを特徴とする監視画面表示装置。
【請求項８】
請求項３乃至請求項７のいずれか1項に記載の監視画面表示装置において、
前記表示手段は、前記分割したエリアに、信号の階層として統一されたものを表示する
ことを特徴とする監視画面表示装置。
【請求項９】
請求項３乃至請求項８のいずれか1項に記載の監視画面表示装置において、
前記表示手段は、前記機器情報がデジタル信号の場合は、左側に信号名称、右側にシンボルを表示し、前記機器情報がアナログ信号または積算値信号の場合は、左側に信号名称、右側上段に単位、右側下段に数値を表示する
ことを特徴とする監視画面表示装置。
【請求項１０】
請求項３乃至請求項９のいずれか1項に記載の監視画面表示装置において、
前記機器情報毎に関連情報画面を記憶しており、
前記表示手段は、前記分割したエリアがクリックされると、該エリアの機器情報に対応する関連情報画面を表示する
ことを特徴とする監視画面表示装置。
【請求項１１】
請求項３乃至請求項１０のいずれか1項に記載の監視画面表示装置において、
前記表示手段は、前記監視対象の状態情報が更新された場合、該監視対象の状態情報を表示する部分に新たな情報が発生したことを表示し、この部分がクリックされると、該新たな情報を表示する
ことを特徴とする監視画面表示装置。
【請求項１２】
請求項３乃至請求項１１のいずれか1項に記載の監視画面表示装置において、
前記表示手段は、所定の周期で監視画面に反映される情報を更新する
ことを特徴とする監視画面表示装置。
【請求項１３】
請求項３乃至請求項１１のいずれか1項に記載の監視画面表示装置において、
前記表示手段は、異なる状態情報及び機器情報を表示する複数の監視画面を所定の更新周期で切り替えて表示する
ことを特徴とする監視画面表示装置。
【請求項１４】
請求項３乃至請求項１３のいずれか1項に記載の監視画面表示装置において、
前記表示手段は、前記監視画面をウィンドウ内に表示する
ことを特徴とする監視画面表示装置。
【発明の詳細な説明】
【技術分野】
【０００１】
本発明は、各機場における各機器の運用状態、異常内容等の監視画面を表示する監視画面表示装置に係り、例えば、多数の監視対象を効率良く監視し得る監視画面表示装置に関する。
【背景技術】
【０００２】
従来から、広域に点在するプラントの各機場における各機器の運用状態、異常内容の確認、プロセス値、モードの状態等を示す個別の機器情報を中央の監視装置に表示するシステムが利用されている。
【０００３】
これにより、中央の監視装置のオペレータに各機器情報が監視され、各機器の制御や巡回員への現場対応指示等が行なわれている。
【０００４】
しかしながら、各機器情報の情報量は非常に多く、特に異常発生時には、オペレータに大きな負担となっている。
【０００５】
そこで、広域における多くの機器情報を何らかの意味のある形で加工することにより、必要とするデータ等を効率的に提供することが検討されている。
【０００６】
具体的には、ユーザが必要とするときに必要なデータ形式で解析加工された所望の測定データが得られる測定データ表示システム（例えば特許文献１参照）や、測定データ管理システム（例えば特許文献２参照）等が検討されている。
【特許文献１】特開２００３−９０７４２号公報
【非特許文献１】特開２００２−８１７９号公報
【発明の開示】
【発明が解決しようとする課題】
【０００７】
しかしながら、上述した従来のシステムでは、データの加工により多機場の情報が統一した形式で監視されておらず、また、加工されたデータが常時利用されてもいない。
【０００８】
本発明では、多数の監視対象を効率良く監視し得る監視画面表示装置を提供することを目的とする。
【課題を解決するための手段】
【０００９】
本発明によれば、複数の監視対象と複数の運用レベルとに関連付けて、該監視対象からの状態情報に適用される処理を実行するためのロジック情報を記憶するロジック情報記憶手段と、前記運用レベル毎に識別色を対応付けて記憶する識別色記憶手段と、前記監視対象の名称と該監視対象の状態情報と前記識別色とが表示される監視画面のデザイン情報を記憶する画面デザイン情報記憶手段と、前記監視対象から前記状態情報を取得する状態情報取得手段と、前記監視対象の状態情報に基づいて、前記各運用レベルのロジック情報に対応する処理が実行可能であるか否かを判定するロジック成否判定手段と、前記判定の結果、各運用レベルのロジック情報に対応する処理が実行可能であると判定された場合、該運用レベルに対応する識別色を前記識別色記憶手段から読み出す識別色読出手段と、前記監視画面のデザイン情報に、前記状態情報取得手段により取得された状態情報と、前記識別色読出手段により読み出した識別色とを反映させた監視画面を表示する表示手段とを備えた監視画面表示装置を提供する。
【００１０】
＜作用＞
従って、本発明は、監視対象の状態情報に基づいて、各運用レベルのロジック情報に対応する処理が実行可能であるか否かを判定し、各運用レベルのロジック情報に対応する処理が実行可能であると判定された場合、監視対象の状態情報と運用レベルに対応する識別色とを監視画面のデザイン情報に反映させた監視画面を表示するので、多数の監視対象を効率良く監視し得る監視画面表示装置を提供することができる。
【発明の効果】
【００１１】
本発明によれば、多数の監視対象を効率良く監視することが可能となる。
【発明を実施するための最良の形態】
【００１２】
以下、図面を参照して本発明の実施形態を説明する。
【００１３】
＜第１の実施形態＞
（監視画面表示装置の構成）
図１は本発明の第１の実施形態に係る監視画面表示装置１００の構成を示す模式図である。
【００１４】
監視画面表示装置１００は、複数の拠点機場の情報を統括して監視する統括機場に設置される。各拠点機場にはサーバ装置２００Ａ〜２００Ｎが設置されており、このサーバ装置内にある各データベース２１１Ａ〜２１１Ｎに、各機場に設置される機器に関する「機器情報」が記憶される。なお機場は複数の施設からなり、施設は複数の設備からなる。各設備や施設毎に、機器情報が加工されて設備情報や施設情報が生成される。
【００１５】
統括機場では、複数の拠点機場の情報を監視するために、統括機場の監視画面表示装置１００に、各拠点機場のサーバ装置２００Ａ〜２００Ｎと通信を行う通信機能を有している。この通信機能により、統括機場の監視画面表示装置１００では、通信網３００を経由して、各拠点機場のサーバ装置２００Ａ〜２００Ｎ内にある各データベース２１１Ａ〜２１１Ｎに蓄積されている機器情報等を収集する。監視画面表示装置１００は、収集した機器情報を、サーバ装置１１０内のメモリに蓄積する。また、監視画面表示装置１００は、このメモリに蓄積された機器情報等を表示装置１２０に表示する。以下、監視画面表示装置１００の構成について詳しく述べる。
【００１６】
監視画面表示装置１００は、サーバ装置１１０と表示装置１２０とを備えている。サーバ装置１１０は、ロジック情報記憶部１１１・識別色記憶部１１２・画面デザイン情報記憶部１１３・状態情報取得部１１４・ロジック成否判定部１１５・識別色読出部１１６・監視画面生成部１１７・画面データ出力部１１８を有している。表示装置１２０は、画面データ取得部１２１・監視画面表示部１２２を有している。
【００１７】
ロジック情報記憶部１１１は、複数の監視対象と複数の運用レベルとに関連付けて、該監視対象からの状態情報に適用される処理を実行するための「ロジック情報」を記憶する記憶装置である。例えば、各機場の設備が監視対象であるとすると、ロジック情報記憶部１１１は、図２に示すようなロジック情報を記憶する。なお、運用レベルには予め優先順位が設定されており、図２の例では、運用レベル１〜運用レベル７の順に優先順位が高くなるように設定されている。
【００１８】
識別色記憶部１１２は、図３に示すように、運用レベル毎に識別色を対応付けて記憶する記憶装置である。
【００１９】
画面デザイン情報記憶部１１３は、監視対象の名称と該監視対象の状態情報と識別色とが表示される監視画面のデザイン情報を記憶する記憶装置である。
【００２０】
具体的には、画面デザイン情報記憶部１１３は、図４に示すように、所定の大きさに分割された複数のエリアを有する監視画面のデザイン情報を記憶する。図４の監視画面の例では、分割されたエリア毎に、監視対象の機器情報をそのまま表示する機器情報表示部Ｈ１と、機器情報をロジック情報にもとづいて加工し、運用レベルに応じた識別色で表示する運用レベル識別部Ｈ２とが表示される。例えば、上下水道施設を監視対象とした場合、機器情報表示部Ｈ１には、機器の運転／停止、機器の故障の発生／復帰、弁の寸開／全閉等のデジタル信号、水位、流量、弁開度、ポンプ回転数、電流、電圧等のアナログ信号、積算流量、積算電力量等の積算値、等の情報が表示される。また、運用レベル識別部Ｈ２には、例えば運用レベルに応じて「正常」、「要監視」、「要対応」、「至急対応」等の表示がされる。これについては、例えば、特開２００５−２１５９１８号明細書の技術を利用することが可能である。
【００２１】
画面デザインの各エリアの詳細の一例は、図５のように示される。ここでは、分割されたエリアの中に表示される情報の配置として、最上段の部分に運用レベル識別部Ｈ２が配置され、最上段以外のその他の部分に機器情報表示部Ｈ１が配置される。この機器情報表示部Ｈ１は、さらにいくつかのグループ（図５の例では８グループ）に分けられ、各グループにはアナログ値及び積算値の信号であれば信号名称Ａ１、単位Ａ２、現在値Ａ３、デジタル値信号であれば信号名称Ｂ１、現在の状況を示すシンボルＢ２が表示される。例えば、機場単位のまとまりを表示する場合には、まず最上段の運用レベル識別部Ｈ２では、Ａ機場は「正常」、Ｂ機場は「要対応」、・・・といった運用レベルに対応する情報が表示され、水処理設備の系単位のまとまりを表示する場合には、１、２系はブロア２台運転、３系は運転なし、・・・といった情報が表示される。また、運用レベル識別部Ｈ２については、背景の部分が運用レベルに対応する識別色で表示される。このように、運用レベル識別部Ｈ２の表示により、大きなまとまりとして運用レベルを捉えることが可能となる。一方、機器情報表示部Ｈ１には、オペレータの監視する情報として、重点的に見ておきたい項目等が表示される。要するに、監視画面は、複数の監視対象の状態情報に統一感を持たせて表示する画面デザインであるので、機場や施設の時系列の状況等をオペレータが総合的に捉えることができ、効率的な監視が可能になる。
【００２２】
なお、エリアの分割数については、設定により自由に行えるが、オペレータが効率的に監視を行うことを考えると、縦２個×横２個、縦２個×横３個、縦３個×横３個、縦３個×横４個、縦４個×横３個、縦４個×横４個、程度のアレンジが望ましい。
【００２３】
状態情報取得部１１４は、サーバ装置１１０の電源がＯＮとなったときに、監視対象から「状態情報」を取得するものである。この監視対象の状態情報は、各拠点機場に存する機器情報が加工されて生成される。
【００２４】
ロジック成否判定部１１５は、状態情報取得部１１４により取得された監視対象の状態情報に基づいて、ロジック情報記憶部１１１に記憶された各運用レベルのロジック情報に対応する処理が実行可能であるか否かを判定するものである。
【００２５】
識別色読出部１１６は、ロジック成否判定部１１５による判定の結果、各運用レベルのロジック情報に対応する処理が実行可能であると判定された場合、該運用レベルに対応する識別色のデータを識別色記憶部１１２から読み出すものである。識別色読出部１１６は、読み出した識別色のデータと監視対象の状態情報とを監視画面生成部１１７に送出する。
【００２６】
監視画面生成部１１７は、画面デザイン情報記憶部１１３から監視画面のデザイン情報を読み出し、この読み出した監視画面のデザイン情報に、状態情報取得部１１４により取得された状態情報と、識別色読出部１１６により読み出した識別色とを反映させた「監視画面」の情報を生成するものである。具体的には、監視画面生成部１１７は、運用レベル識別部Ｈ２に状態情報を識別色とともに表示したり、ロジック情報に対応する処理が実行された後の情報を表示したり、各機器情報を個別に表示したりする監視画面を生成する。
【００２７】
画面データ出力部１１８は、監視画面生成部１１７により生成された監視画面の情報をＬＡＮ等を介して表示装置１２０に送出するものである。
【００２８】
画像データ取得部１２１は、サーバ装置１１０の画像データ出力部１１８から送出された監視画面の情報を取得するものである。
【００２９】
監視画面表示部１２２は、画像データ取得部１２１が取得した監視画面の情報を表示するものである。
【００３０】
（監視画面表示装置の動作）
図６は本実施形態に係る監視画面表示装置１００の動作を説明するためのフローチャートである。
【００３１】
監視画面表示装置１００は電源がＯＮになると（Ｓ１）、監視対象から状態情報を取得する（Ｓ２）。図１の例では、状態情報取得部１１４により、監視対象のサーバ装置２００Ａ〜２００Ｎから機器情報が収集され、これらの機器情報に基づいて状態情報が生成される。生成された状態情報は、ロジック成否判定部１１５に送出される。
【００３２】
続いて、ロジック成否判定部１１５により、監視対象の各運用レベルのロジック情報が読み出される（Ｓ３）。それから、ロジック成否判定部１１５において、状態情報収集部１１４から送出された状態情報に対し、各運用レベルのロジック情報に対応する処理が順次実行される。これにより、ロジック成否判定部１１５により、ロジック情報に対応する処理が実行可能であるか否かが判定される（Ｓ４）。
【００３３】
ロジック成否判定部１１５による判定の結果、各運用レベルのロジック情報に対応する処理が実行可能であると判定された場合、識別色読出部１１６により、運用レベルに対応する識別色のデータが識別色記憶部１１２から読み出される（Ｓ４−Ｙｅｓ，Ｓ５）。なお、複数の運用レベルのロジック情報に対応する処理が実行可能であると判定された場合、予め設定された優先順位に従って、運用レベルが決定される。そして、識別色読出部１１６から読み出された識別色のデータと監視対象の状態情報とが監視画面生成部１１７に送出される。
【００３４】
次に、監視画面生成部１１７により、画面デザイン情報記憶部１１３から監視画面のデザイン情報が読み出され、この読み出された監視画面のデザイン情報に、状態情報取得部１１４により取得された状態情報と、識別色読出部１１６により読み出された識別色とが反映されて、「監視画面」の情報が生成される（Ｓ６）。
【００３５】
続いて、監視画面生成部１１７により生成された監視画面の情報が、監視画面表示部１２２により表示される（Ｓ７）。
【００３６】
なお、ステップＳ４において、ロジック成否判定部１１５による判定の結果、各運用レベルのロジック情報に対応する処理が実行可能ではないと判定された場合、監視画面生成部１１７によりエラー情報が生成され、監視画面表示部１２２にエラー情報が表示される（Ｓ４−Ｎｏ，Ｓ６，Ｓ７）。
【００３７】
この後は、監視画面表示装置１００の電源がＯＦＦになるまで、あるいは監視画面表示装置１００に停止命令が送出されるまで、上述したステップＳ２〜Ｓ７の処理が周期的に繰り返される（Ｓ８）。
【００３８】
（監視画面表示装置の効果）
以上説明したように、本実施形態に係る監視画面表示装置１００によれば、電源がＯＮとなったときに、監視対象の状態情報に基づいて、各運用レベルのロジック情報に対応する処理が実行可能であるか否かを判定し、各運用レベルのロジック情報に対応する処理が実行可能であると判定された場合、監視対象の状態情報と運用レベルに対応する識別色とを監視画面のデザイン情報に反映させた監視画面を表示するので、多数の監視対象を効率良く監視することができる。それゆえ、オペレータの負担の低減、あるいは現場で発生した異常等に対して効率良く対応することが可能となる。
【００３９】
換言すると、本実施形態に係る監視画面表示装置１００を用いることにより、少人数のオペレータによる効率的な機場、設備、機器等の監視が可能となる。また、監視対象の状態情報による複数の機場、設備、機器等の状況を大まかに把握することと、個別の機器情報で特に注視する情報を把握することとを同時に行うことができ、効率的な機場、設備、機器等の監視が可能となる。さらに、複数の機場の監視、あるいは大規模機場の複数設備の監視等において、少人数化を実現することができ、コストの削減が期待できる。
【００４０】
また、本実施形態に係る監視画面表示装置１００では、ある機場、設備、機器という単位で何らか意味のある統一された基準を設け、これによりロジックを構築し、統一感のある情報を表示するので、複数の拠点機場を効率的に監視することができる。結果として、各オペレータ間の判断に統一性を持たせることができる。
【００４１】
なお、個別の機器情報をあるルールやロジック等にもとづいて、その条件の成立の可否を判定し、条件が成立すれば、オペレータ等が事前に登録した何らかのメッセージが書き込まれたガイダンス情報を表示する装置も考えられる。しかし、統括機場においては、複数の拠点機場の多くの機器情報の監視を行うことから、上記ガイダンス情報では、次のようなデメリットがあると想定される。すなわち、表示されるメッセージの内容に、機場、設備等を識別する文言を書き込む工夫が必要になる。また、各メッセージ間で内容のレベルが統一されない可能性がある。機場レベルのガイダンス情報の場合もあれば、機器レベルのガイダンス情報の場合もある。そもそも表示したいメッセージを登録する必要が生じる。
【００４２】
また、統括機場において複数の拠点機場を統括して監視することを考えた場合、システム全体で扱う点数は場合によっては、数万点規模となる。したがって、これらの規模の点数を効率的に監視するためには、機器情報を集約して、意味のある状態情報にまとめ、監視する点数を少なくすることが求められる。その一方で、ある機場、設備等の単位において、見ておきたいポイントとなる個別の機器情報の表示も求められる。本実施形態に係る監視画面表示装置１００は、これらの要求を満たすものである。
【００４３】
なお、監視画面表示装置１００は、図７に示すように、各エリア内の詳細情報ボタンＤ１がクリックされると、対応する機場や設備等に関連する簡易的なトレンドグラフや、詳細なグラフィック画面等に遷移する機能を備えていても良い。トレンドグラフにより、オペレータの監視する情報として、時系列的な傾向をおおまかに把握できる信号を表示できる。これにより、オペレータは、より詳細な情報の把握や、機器の操作が可能となる。図８の例では、４本のトレンドが表示されている。また、監視対象の状態情報が更新された場合、監視対象の状態情報を表示する部分Ｈ２に新たな情報が発生したことを表示する表示部Ｄ２を設けても良い。例えば、この表示部Ｄ２がクリックされると、監視画面上に新たな情報が表示される。
【００４４】
また、監視画面表示装置１００は、１秒以上の所定の周期で監視画面に反映される情報を更新する。一般的な監視画面では１秒程度の周期で情報を更新することが多いが、複数の機場や設備等の全体の情報を効率的に監視する場合には、１秒以上の更新周期とすることで、より効率的、効果的な情報提供を行うことが可能になると考えられる。
【００４５】
また、監視画面表示装置１００は、異なる状態情報及び機器情報を表示する複数の監視画面を所定の更新周期で切り替えて表示することも可能である。例えば、３枚の監視画面がある場合には、１枚目→２枚目→３枚目→１枚目→・・・というように順次切り替えて表示する。
【００４６】
また、監視画面表示装置１００では、監視対象の状態情報と個別の機器情報とを同一の画面に表示することで、複数の機場、設備、機器等の状況を大まかに把握することと、個別の機器情報の表示による特に注視する情報、例えば運用のポイントを押さえた情報を把握することとを同時に行うことができ、効率的な機場、設備、機器等の監視が可能となる。それゆえ、例えば、１２個の設備のグラフィック画面と、それらを加工した状態情報を表示する画面との１３枚のウィンドウを表示する場合などにおいて、個々のウィンドウ表示が小さくなることや、ウィンドウ相互の重なりが発生することを回避することができる。
【００４７】
なお、本実施形態においては、上下水道施設を例に説明している箇所があるが、複数の機場、設備、機器等を監視対象とする画面であれば、特に上下水道施設に限定されるものではない。
【００４８】
＜第２の実施形態＞
本発明の第２の実施形態に係る監視画面表示装置１００Ｓでは、画面デザイン情報記憶部１１３Ｓが、フロー図、プロセス図、地図等のグラフィック図と機器情報の表示位置とを対応付けた監視画面のデザイン情報を記憶しており、監視画面表示部１２２Ｓが、グラフィック図上の対応付けられた表示位置に各機器の機器情報を表示する。なお、本実施形態において、既に説明した部分と同一部分には略同一符号を付し、特に説明がない限りは重複した説明を省略する。また、以下の各実施形態も同様にして重複した説明を省略する。
【００４９】
例えば、監視画面表示装置１００Ｓによれば、図９に示すように、監視対象とする状態情報が画面左上の表示部Ｈ３に表示され、個別の機器情報Ｊが地図上の対応する位置に表示される。それゆえ、機器や設備とその設置場所との関係を容易に把握することができる。
【００５０】
換言すると、監視画面表示装置１００Ｓでは、監視画面に統一感を持たせ、機場、施設の状況を総合的に表示するので、オペレータの効率的な監視が可能になる。
【００５１】
なお、一般的には、フロー図、プロセス図、地図等のグラフィック図は複数の画面が用意されることが多い。複数の画面が用意された場合でも、状態情報が常に画面左上に配置されていることとすれば、どの画面を見ていても、まず複数の機場の状況、複数の設備の状況等を常に大きなまとまりとして捉えることが可能となる。
【００５２】
また、監視画面表示装置１００Ｓは、複数の機器情報をロジック情報にもとづいて加工した状態情報が更新されて新たな情報が発生した場合に、監視対象の状態情報を表示する表示部Ｈ３に新たな情報が発生したことを表示するとしてもよい。前述の「正常」、「要監視」、「要対応」、「至急対応」の４つの運用レベルを表示する例では、運用レベルが上位のものが発生した場合や、ある設備の主機の運転台数を色で表示する例では主機の運転台数が増えた場合等に、新たな情報が発生したことを表示する。図９の例では、監視画面表示装置１００Ｓは、新たな情報が発生した場合には逆三角形印Ｍを表示する。そして、この逆三角形印Ｍがクリックされた場合、発生した新しい情報のもとの個別信号に関連した情報を表示するグラフィック画面に遷移するとしてもよい。これにより、主機の運転台数が増えた等といった場合に、必要に応じて詳細なグラフィック画面に素早く遷移することができ、該当施設の監視や各機器の操作等を効率的に行うことが可能となる。
【００５３】
＜第３の実施形態＞
本発明の第３の実施形態に係る監視画面表示装置１００Ｔは、監視対象が雨水送水ポンプ制御設備に関するものである。
【００５４】
状態情報取得部１１４Ｔは、雨水送水ポンプ制御設備内の４台のポンプの機器情報に基づいて状態情報を加工する。具体的には、ポンプ毎に、図１０のＡ群に含まれる全ての条件もしくはＢ郡に含まれる全ての条件が満たされると準備完了信号が出力される。準備完了信号が出力されると、当該ポンプは運転可能台数としてカウントされる。そして、ポンプの運転台数と運転可能台数とが状態情報として生成される。
【００５５】
ロジック成否判定部１１５Ｔは、図１１に示すように貯水池の水位に応じて７つの状態Ｗ１〜Ｗ７が設定されており、図１２に示すようなポンプの運転台数と運転可能台数とに基づいて各状態Ｗ１〜Ｗ７の運用レベルを出力する。例えば、水位状態がＷ１のとき、運転台数が１台で、運転可能台数が２台であれば、運用レベル３の要監視状態の信号が出力される。
【００５６】
監視画面生成部１１７Ｔは、分割したエリアに表示する内容の一例として、ポンプ場の監視画面を生成する。ポンプ設備の監視を行う場合には、雨水ポンプ運転状態、雨水ポンプ故障状態、汚水ポンプ運転状態、汚水ポンプ故障状態、雨水ポンプ井水位、流入渠水位、降雨量といった状況は把握しておきたい情報であり、運用を行う上でのポイントとなる情報である。
【００５７】
本実施形態に係る監視画面表示装置１００Ｔは、前述した雨水ポンプ制御における運用レベル判定により、大まかなポンプ設備の運用状態を把握すると同時に、このような個別の機器情報を表示する。これにより、オペレータが効率的な監視を行えるようになる。
【００５８】
＜その他＞
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００５９】
【図１】本発明の第１の実施形態に係る監視画面表示装置１００の構成を示す模式図である。
【図２】同実施形態に係るロジック情報記憶部１１１の構成を示す模式図である。
【図３】同実施形態に係る識別色記憶部１１２の構成を示す模式図である。
【図４】同実施形態に係る監視画面のデザイン情報の一例を示す図である。
【図５】同実施形態に係る監視画面のデザインの各エリアの詳細の一例を示す図である。
【図６】同実施形態に係る監視画面表示装置１００の動作を説明するためのフローチャートである。
【図７】同実施形態に係る監視画面のデザイン情報の一例を示す図である。
【図８】同実施形態に係る監視画面のデザインの各エリアの詳細の一例を示す図である。
【図９】本発明の第２の実施形態に係る監視画面表示装置１００Ｓが表示する監視画面の一例を示す模式図である。
【図１０】本発明の第３の実施形態に係る監視画面表示装置１００Ｔの状態情報取得部１１４Ｔの動作を説明するための図である。
【図１１】同実施形態に係るロジック成否判定部１１５Ｔの動作を説明するための図である。
【図１２】同実施形態に係るロジック成否判定部１１５Ｔの動作を説明するための図である。
【符号の説明】
【００６０】
１００・・・監視画面表示装置、１１０・・・サーバ装置、１１１・・・ロジック情報記憶部、１１２・・・識別色記憶部、１１３・・・画面デザイン情報記憶部、１１４・・・状態情報取得部、１１５・・・ロジック成否判定部、１１６・・・識別色読出部、１１７・・・監視画面生成部、１１８・・・画面データ出力部、１２０・・・表示装置、１２１・・・画面データ取得部、１２２・・・監視画面表示部、２００Ａ〜２００Ｎ・・・各拠点機場のサーバ装置、３００・・・通信網。
【図１】
2010091476.tif 000003
【図２】
2010091476.tif 000004
【図３】
2010091476.tif 000005
【図４】
2010091476.tif 000006
【図５】
2010091476.tif 000007
【図６】
2010091476.tif 000008
【図７】
2010091476.tif 000009
【図８】
2010091476.tif 000010
【図９】
2010091476.tif 000011
【図１０】
2010091476.tif 000012
【図１１】
2010091476.tif 000013
【図１２】
2010091476.tif 000014